(57)【要約】【課題】プレパラートの作製の自動化に適したプレパラート製造方法を提供する。【解決手段】二枚の柔軟性を有し透明な耐薬品性樹脂フィルムの間に、透明な光硬化樹脂を挟んだ積層フィルムを準備する準備工程と、病理薄切材料を前記積層フィルム上に採取する採取工程と、前記積層フィルムに光を照射する照射工程と、前記積層フィルム上に採取された前記病理薄切材料を染色する染色工程と、前記積層フィルム上の前記病理薄切材料を透明な板状部材により封入する封入工程とを含む。【選択図】図１
2019086356.tif 000002
【特許請求の範囲】
【請求項１】
二枚の柔軟性を有し透明な耐薬品性樹脂フィルムの間に、透明な光硬化樹脂を挟んだ積層フィルムを準備する準備工程と、
病理薄切材料を前記積層フィルム上に採取する採取工程と、
前記積層フィルムに光を照射する照射工程と、
前記積層フィルム上に採取された前記病理薄切材料を染色する染色工程と、
前記積層フィルム上の前記病理薄切材料を透明な板状部材により封入する封入工程と
を含むプレパラート製造方法。
【請求項２】
二枚の柔軟性を有し透明な耐薬品性樹脂フィルムの間に、透明な光硬化樹脂を挟んだ積層フィルムを準備する準備工程と、
病理薄切材料を前記積層フィルム上に採取する採取工程と、
前記積層フィルム上に採取された前記病理薄切材料を染色する染色工程と、
前記積層フィルムに光を照射する照射工程と、
前記積層フィルム上の前記病理薄切材料を透明な板状部材により封入する封入工程と
を含むプレパラート製造方法。
【請求項３】
前記染色工程においては、前記照射工程での光照射による染色液色素の劣化を前提とした染色を行う請求項２記載のプレパラート製造方法。
【請求項４】
前記積層フィルムは、該積層フィルムが巻かれたロールから引き出されたものである請求項１〜３の何れか一項に記載のプレパラート製造方法。
【請求項５】
前記耐薬品性樹脂フィルムは、ＰＥＴフィルムである請求項１〜４の何れか一項に記載のプレパラート製造方法。
【請求項６】
前記採取工程は、前記病理薄切材料を前記積層フィルム上に落下させる工程、または水槽内に落下させた前記病理薄切材料を前記積層フィルム上に拾い上げる工程を含む請求項１〜５の何れか一項に記載のプレパラート製造方法。
【発明の詳細な説明】
【技術分野】
【０００１】
本発明は、プレパラートの作製の自動化に適したプレパラート製造方法に関するものである。
【背景技術】
【０００２】
顕微鏡観察で用いられるプレパラートは、スライドグラス上に薄切した試料を貼り付け、試料の染色を行った後に、試料をカバーグラスの下に封入したものである（例えば特許文献１）。
【先行技術文献】
【特許文献】
【０００３】
【特許文献１】特開平９−３３４０７号公報
【発明の概要】
【発明が解決しようとする課題】
【０００４】
ここでプレパラートの作製に用いられるスライドグラスやカバーグラスの多くはガラス製であることから、作業中に割れることがありプレパラートの作製を自動化することが困難であった。
【０００５】
本発明の目的は、プレパラートの作製の自動化に適したプレパラート製造方法を提供することである。
【課題を解決するための手段】
【０００６】
本発明のプレパラート製造方法は、二枚の柔軟性を有し透明な耐薬品性樹脂フィルムの間に、透明な光硬化樹脂を挟んだ積層フィルムを準備する準備工程と、病理薄切材料を前記積層フィルム上に採取する採取工程と、前記積層フィルムに光を照射する照射工程と、前記積層フィルム上に採取された前記病理薄切材料を染色する染色工程と、前記積層フィルム上の前記病理薄切材料を透明な板状部材により封入する封入工程とを含む。
【０００７】
また本発明のプレパラート製造方法は、二枚の柔軟性を有し透明な耐薬品性樹脂フィルムの間に、透明な光硬化樹脂を挟んだ積層フィルムを準備する準備工程と、病理薄切材料を前記積層フィルム上に採取する採取工程と、前記積層フィルム上に採取された前記病理薄切材料を染色する染色工程と、前記積層フィルムに光を照射する照射工程と、前記積層フィルム上の前記病理薄切材料を透明な板状部材により封入する封入工程とを含む。
【０００８】
また本発明のプレパラート製造方法は、前記染色工程においては、前記照射工程での光照射による染色液色素の劣化を前提とした染色を行う。
【０００９】
また本発明のプレパラート製造方法は、前記積層フィルムが該積層フィルムが巻かれたロールから引き出されたものである。
【００１０】
また本発明のプレパラート製造方法は、前記耐薬品性樹脂フィルムがＰＥＴフィルムである。
【００１１】
また本発明のプレパラート製造方法は、前記採取工程が前記病理薄切材料を前記積層フィルム上に落下させる工程、または水槽内に落下させた前記病理薄切材料を前記積層フィルム上に拾い上げる工程を含む。
【発明の効果】
【００１２】
本発明によれば、プレパラートの作製の自動化に適したプレパラート製造方法を提供することができる。
【図面の簡単な説明】
【００１３】
【図１】実施の形態に係るプレパラート製造方法の工程を示す図である。
【図２】実施の形態に係る病理薄切材料を積層フィルム上に採取する採取部を示す図である。
【図３】実施の形態に係る積層フィルムの構成を示す図である。
【図４】実施の形態に係る紫外線を照射した積層フィルムを示す図である。
【図５】実施の形態に係る積層フィルム上の病理薄切材料を透明な板状部材により封入した状態を示す図である。
【図６】実施の形態に係る積層フィルムをプレパラートの大きさに切断した状態を示す図である。
【図７】実施の形態に係る病理薄切材料を積層フィルム上に採取する採取部を示す図である。
【発明を実施するための形態】
【００１４】
以下、図面を参照して実施の形態に係るプレパラート製造方法の説明を行う。図１は実施の形態に係るプレパラート製造方法の工程を示す図である。図１に示すようにプレパラート製造方法は、二枚の柔軟性を有し透明な耐薬品性樹脂フィルムの間に、透明な紫外線硬化樹脂（光硬化樹脂）を挟んだ積層フィルムを準備する準備工程（ステップＳ１０）と、病理薄切材料を積層フィルム上に採取する採取工程（ステップＳ１１）と、積層フィルムに紫外線を照射する照射工程（ステップＳ１２）と、積層フィルム上に採取された病理薄切材料を染色する染色工程（ステップＳ１３）と、積層フィルム上の病理薄切材料を透明な板状部材により封入する封入工程（ステップＳ１４）と、透明な板状部材により病理薄切材料が封入された積層フィルムをプレパラートの大きさに切断する切断工程（ステップＳ１５）を有する。
【００１５】
図２は、病理薄切材料を積層フィルム２３上に採取する採取部２を示す図である。準備工程（ステップＳ１０）において準備する積層フィルム２３は、ロール２４に巻回されたものであり、図３に示すように柔軟性を有し透明な、例えば耐キシレン、耐塩酸等の耐薬品性樹脂フィルムであるＰＥＴ(polyethylene terephthalate)製フィルム２３ａ、２３ｂの間に透明な紫外線硬化樹脂２３ｃを挟んだものである。また積層フィルム２３の病理薄切材料２２を採取する面（上面）には接着剤が塗布されている。
【００１６】
採取工程（ステップＳ１１）においては、包埋材であるパラフィンによりブロック化された生検材料ブロック２０をミクロトーム２１により所定の厚さに薄切した病理薄切材料２２を、ロール２４から引き出された積層フィルム２３上に落下させ採取する。ここでミクロトーム２１は、図示するＡ方向に往復移動することにより生検材料ブロック２０を所定の厚さに薄切する。
【００１７】
ロール２４から引き出された積層フィルム２３は、フィルムガイド２５ａにより積層フィルム２３を帯電させる帯電装置２６まで搬送され、その後フィルムガイド２５ｂによりミクロトーム２１の下部まで搬送され、帯電した積層フィルム２３の上面においてミクロトーム２１により薄切された病理薄切材料２２を採取する。そして積層フィルム２３はフィルムガイド２５ｃによりミクロトーム２１の下流に配置される固定装置２７まで搬送される。ここで病理薄切材料２２を加熱し積層フィルム２３上に固定する。
【００１８】
照射工程（ステップＳ１２）においては、病理薄切材料２２が固定された積層フィルム２３に紫外線を照射し、紫外線硬化樹脂２３ｃを硬化させる。即ち図4に示すように、病理薄切材料２２が固定された部分を含む積層フィルム２３の領域２３ａ（図中斜線で示す領域）に紫外線を照射し、紫外線硬化樹脂２３ｃを硬化させる。なお紫外線を照射する領域は、作製するプレパラートの大きさよりも広い領域である。これにより積層フィルム２３の紫外線を照射した領域は、板状に硬化する。
【００１９】
染色工程（ステップＳ１３）においては、病理薄切材料２２が固定された積層フィルム２３を染色漕に収容し、加温してパラフィンを溶融させた後に、染色漕に染色系列溶液を順次供給すると共に染色漕に供給された染色系列溶液を順次回収する。ここで染色漕内に供給される染色系列溶液は、それぞれ染色の種類に応じて最適な温度に制御される。
【００２０】
封入工程（ステップＳ１４）においては、積層フィルム２３上の病理薄切材料２２上に封入剤を供給し透明な板状部材３０、例えば矩形状のＰＥＴフィルムにより封入する。
【００２１】
切断工程（ステップＳ１５）においては、図６に示すように、透明な板状部材３０により病理薄切材料２２が封入された積層フィルム２３をプレパラートの大きさに切断する。これによりプレパラート３２の製造が終了する。
【００２２】
本実施の形態によれば、プレパラートの作製中の破損を防止することができプレパラートの作製の自動化に適したプレパラートの製造方法を提供することができる。
【００２３】
なお上述の実施の形態においては、積層フィルム２３に紫外線を照射する照射工程（ステップＳ１２）の後に、積層フィルム２３上に採取された病理薄切材料２２を染色する染色工程（ステップＳ１３）を実施しているが、積層フィルム２３上に採取された病理薄切材料２２を染色する染色工程の後に、積層フィルム２３に紫外線を照射する照射工程を実施してもよい。この場合には、紫外線照射による染色液色素の劣化を前提とした染色を行う必要がある。
【００２４】
また上述の実施の形態においては、採取工程（ステップＳ１１）において病理薄切材料２２をロール２４から引き出された積層フィルム２３上に落下させ採取しているが、図７に示すように病理薄切材料２２を水が入れられた水槽４０内に落下させ、水槽４０内に浮かんでいる病理薄切材料２２をロール２４から引き出された積層フィルム２３により採取するようにしてもよい。この場合には積層フィルムの病理薄切材料を採取する面に塗布する接着剤及び帯電装置２６は不要になる。
【００２５】
また上述の実施の形態においては、光硬化樹脂として紫外線硬化樹脂を用いているが、特定の波長の可視光を照射することにより硬化する透明な可視光硬化樹脂を用いてもよい。
【符号の説明】
【００２６】
２…採取部、２０…生検材料ブロック、２１…ミクロトーム、２２…病理薄切材料、２３…積層フィルム、２３ａ，２３ｂ…ＰＥＴ製フィルム、２３ｃ…紫外線硬化樹脂、２４…ロール
【図１】
2019086356.tif 000003
【図２】
2019086356.tif 000004
【図３】
2019086356.tif 000005
【図４】
2019086356.tif 000006
【図５】
2019086356.tif 000007
【図６】
2019086356.tif 000008
【図７】
2019086356.tif 000009
【手続補正書】
【提出日】平成31年2月27日(2019.2.27)
【手続補正１】
【補正対象書類名】特許請求の範囲
【補正対象項目名】全文
【補正方法】変更
【補正の内容】
【特許請求の範囲】
【請求項１】
二枚の柔軟性を有し透明な耐薬品性樹脂フィルムの間に、透明な光硬化樹脂を挟んだ積層フィルムを準備する準備工程と、
前記準備工程において準備した前記積層フィルム上に病理薄切材料を採取する採取工程と、
前記採取工程において前記病理薄切材料を採取した前記積層フィルムに光を照射する照射工程と、
前記照射工程の後に前記積層フィルム上に採取された前記病理薄切材料を染色する染色工程と、
前記染色工程の後に前記積層フィルム上の前記病理薄切材料を透明な板状部材により封入する封入工程と
を含むプレパラート製造方法。
【請求項２】
二枚の柔軟性を有し透明な耐薬品性樹脂フィルムの間に、透明な光硬化樹脂を挟んだ積層フィルムを準備する準備工程と、
前記準備工程において準備した前記積層フィルム上に病理薄切材料を採取する採取工程と、
前記採取工程において前記積層フィルム上に採取された前記病理薄切材料を染色する染色工程と、
前記染色工程の後に前記積層フィルムに光を照射する照射工程と、
前記照射工程の後に前記積層フィルム上の前記病理薄切材料を透明な板状部材により封入する封入工程と
を含むプレパラート製造方法。
【請求項３】
前記染色工程においては、前記照射工程での光照射による染色液色素の劣化を前提とした染色を行う請求項２記載のプレパラート製造方法。
【請求項４】
前記積層フィルムは、該積層フィルムが巻かれたロールから引き出されたものである請求項１〜３の何れか一項に記載のプレパラート製造方法。
【請求項５】
前記耐薬品性樹脂フィルムは、ＰＥＴフィルムである請求項１〜４の何れか一項に記載のプレパラート製造方法。
【請求項６】
前記採取工程は、前記病理薄切材料を前記積層フィルム上に落下させる工程、または水槽内に落下させた前記病理薄切材料を前記積層フィルム上に拾い上げる工程を含む請求項１〜５の何れか一項に記載のプレパラート製造方法。
【手続補正２】
【補正対象書類名】明細書
【補正対象項目名】０００６
【補正方法】変更
【補正の内容】
【０００６】
本発明のプレパラート製造方法は、二枚の柔軟性を有し透明な耐薬品性樹脂フィルムの間に、透明な光硬化樹脂を挟んだ積層フィルムを準備する準備工程と、前記準備工程において準備した前記積層フィルム上に病理薄切材料を採取する採取工程と、前記採取工程において前記病理薄切材料を採取した前記積層フィルムに光を照射する照射工程と、前記照射工程の後に前記積層フィルム上に採取された前記病理薄切材料を染色する染色工程と、  前記染色工程の後に前記積層フィルム上の前記病理薄切材料を透明な板状部材により封入する封入工程とを含む。
【手続補正３】
【補正対象書類名】明細書
【補正対象項目名】０００７
【補正方法】変更
【補正の内容】
【０００７】
また本発明のプレパラート製造方法は、二枚の柔軟性を有し透明な耐薬品性樹脂フィルムの間に、透明な光硬化樹脂を挟んだ積層フィルムを準備する準備工程と、前記準備工程において準備した前記積層フィルム上に病理薄切材料を採取する採取工程と、前記採取工程において前記積層フィルム上に採取された前記病理薄切材料を染色する染色工程と、前記染色工程の後に前記積層フィルムに光を照射する照射工程と、前記照射工程の後に前記積層フィルム上の前記病理薄切材料を透明な板状部材により封入する封入工程とを含む。